(57)【要約】前方側商品を陳列する基板１と、基板１上に載置され、第１底板７２と第１底板７２の前方端から立設する前方部材７１を備える後方側商品Ｂを載置する移動枠体７と、移動枠体７の第１底板７２上に載置される、自然状態において常に前方移動状態にある、第２底板２１と、第２底板２１から立設する商品押圧板２２を備える商品前出し体２を有し、基板の上面に第１滑り手段であるローラーを付設した。本発明によれば、商品が前後方向に多量に並ぶ場合であっても、陳列商品を自動的に確実に前に送り出す作用力があり、作業者の前出し作業の労力を軽減すると共に、顧客にとっては商品が取り出し易い商品自動前出し具を提供することができる。【特許請求の範囲】
【請求項１】
前方側商品を陳列する基板と、
該基板上に載置され、第１底板と該第１底板の前方端から立設する前方部材を備える後方側商品を載置する移動枠体と、
該移動枠体の第１底板上に載置される、自然状態において常に前方移動状態にある商品前出し体と、
を有し、該移動枠体の該第１底板の裏面又は該基板の上面のいずれか一方又は両方に第１滑り手段を付設したことを特徴とする商品自動前出し具。
【請求項２】
前記商品前出し体が、第２底板又は側板と、該第２底板又は該側板から立設する商品押圧板を備えることを特徴とする請求項１記載の商品自動前出し具。
【請求項３】
該商品押圧板の該第２底板の裏面又は該移動枠体の第１底板の上面のいずれか一方又は両方に第２滑り手段を付設したことを特徴とする請求項１又は２記載の商品自動前出し具。
【請求項４】
前記移動枠体が、該第１底板の後方端から立設する後方板を更に備えることを特徴とする請求項１〜３のいずれか１項記載の商品自動前出し具。
【請求項５】
該基板の側方に、更に商品仕切り板を有することを特徴とする請求項１〜４のいずれか１項記載の商品自動前出し具。
【請求項６】
該商品仕切り板は該基板から立設して該基板と一体化されており、該商品仕切り板と該基板で形成される正面視形状が、Ｌ字形状又は逆Ｔ字形状であることを特徴とする請求項５記載の商品自動前出し具。
【請求項７】
該基板の前方に、更に商品転落防止板を有することを特徴とする請求項１〜６のいずれか１項記載の商品自動前出し具。
【請求項８】
該商品転落防止板が、該基板から立設して該基板と一体化されていることを特徴とする請求項７記載の商品自動前出し具。
【請求項９】
該商品前出し体は、該基板又は該商品仕切り板に形成されたガイド溝に嵌合し、前方への移動がガイドされることを特徴とする請求項５〜８のいずれか１項記載の商品自動前出し具。
【請求項１０】
自然状態において常に前方移動状態とする手段が、該基板の前方端と該商品前出し体を接続する接続部材により該商品前出し体を前方へ引っ張る手段であるか、該基板の後方端と該商品前出し体を離す方向に付勢する弾発部材により該商品前出し体を前方へ押し出す手段であるか、又は該基板の商品載置面を前方下り傾斜とする手段であることを特徴とする請求項１〜９のいずれか１項記載の商品自動前出し具。
【請求項１１】
該第１滑り手段が、ローラー、前後方向に延出するリブ部材又は滑り材であることを特徴とする請求項１〜１０のいずれか１項記載の商品自動前出し具。
【請求項１２】
該基板の少なくとも一方の側には、幅調整用の副基板が付設されていることを特徴とする請求項１〜１１のいずれか１項記載の商品自動前出し具。
【請求項１３】
該基板の少なくとも一方の側には、幅調整用の副基板が収納自在に嵌合されていることを特徴とする請求項１２項記載の商品自動前出し具。
【請求項１４】
該基板は左右方向に２つ又は３つに縦分断されたパーツ部材で形成され、該パーツ部材を互いに適宜のピッチ離間して設置することを特徴とする請求項１〜１３のいずれか１項記載の商品自動前出し具。
【請求項１５】
該既存の商品陳列棚の棚板に、該商品自動前出し具を設置して使用されることを特徴とする請求項１４記載の商品自動前出し具。
【発明の詳細な説明】
【技術分野】  本発明は、スーパーなどで使用される陳列商品の取り出しや新しい商品の補充を容易にする商品自動前出し具に関するものである。
【背景技術】  スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
しかしながら、新しい商品を後方の空間へ補充する作業は、前方にある商品が邪魔をして行い難い。また、奥にある商品を手前に移すのも大変な作業となっている。近年、このような新しい商品の補充を行い易くしたり、商品を常に前出し状態にする方法や装置が種々提案されている。
例えば登録実用新案第３０４３２８８号公報には、固定されている商品陳列棚の棚全体を、ワンタッチで手前への引き出しを可能とし、陳列商品の前面への再整列、整理整頓、並びに補充業務を安全、迅速かつ正確に実施できる新器具が開示されている。この新器具は回転車を組み込んだ中継具と、既存の陳列棚支持具に相当する逆Ｌ字型基軸盤、更に２種類の器具を包み込む支持器カバーを設け、これらの器具を一体として組み込んだものである。また、商品陳列棚が前後方向に移動するのではなく、固定された商品陳列棚に商品前出し機能を有する商品前出し体を設置して、陳列商品を自動的に前に押し出すものも知られている。
【特許文献１】  登録実用新案第３０４３２８８号公報（請求項１）
しかしながら、登録実用新案第３０４３２８８号公報記載の新器具は、中継具の中に回転車を組み込んでいるなど構造が複雑であり、製造コストが高いという問題がある。また、従来の商品前出し体は、前方傾斜の陳列面に設置され且つ錘を載せたものであるため、前方への押圧力が小さく、前後方向に多量の商品が並ぶ場合には、商品を前方へ確実に送り出すことはできなかった。
従って、本発明の目的は、商品が前後方向に多量に並ぶ場合であっても、陳列商品を自動的に確実に前に送り出す作用力があり、作業者の前出し作業の労力を軽減すると共に、顧客にとっては商品が取り出し易い商品自動前出し具を提供することにある。
【発明の開示】
すなわち、本発明（１）は、前方側商品を陳列する基板と、該基板上に載置され、第１底板と該第１底板の前方端から立設する前方部材を備える後方側商品を載置する移動枠体と、該移動枠体の第１底板上に載置される、自然状態において常に前方移動状態にある商品前出し体と、を有し、該移動枠体の該第１底板の裏面又は該基板の上面のいずれか一方又は両方に第１滑り手段を付設したことを特徴とする商品自動前出し具を提供するものである。
また、本発明（２）は、前記商品前出し体が、第２底板又は側板と、該第２底板又は該側板から立設する商品押圧板を備える前記商品自動前出し具を提供し、また、本発明（３）は、該商品押圧板の該第２底板の裏面又は該移動枠体の第１底板の上面のいずれか一方又は両方に第２滑り手段を付設した商品自動前出し具を提供し、また、本発明（４）は、前記移動枠体が、該第１底板の後方端から立設する後方板を更に備える商品自動前出し具を提供し、また、本発明（５）は、該基板の側方に、更に商品仕切り板を有する前記商品自動前出し具を提供し、また、本発明（６）は、該商品仕切り板は該基板から立設して該基板と一体化されており、該商品仕切り板と該基板で形成される正面視形状が、Ｌ字形状又は逆Ｔ字形状である前記商品自動前出し具を提供し、また、本発明（７）は、該基板の前方に、更に商品転落防止板を有する前記商品自動前出し具を提供し、また、本発明（８）は、該商品転落防止板が、該基板から立設して該基板と一体化されている前記商品自動前出し具を提供し、また、本発明（９）は、該商品前出し体は、該基板又は該商品仕切り板のガイド溝に嵌合し、前方への移動がガイドされる前記商品自動前出し具を提供し、また、本発明（１０）は、自然状態において常に前方移動状態とする手段が、該基板の前方端と該商品前出し体を接続する接続部材により該商品前出し体を前方へ引っ張る手段であるか、該基板の後方端と該商品前出し体を離す方向に付勢する弾発部材により該商品前出し体を前方へ押し出す手段であるか、又は該基板の商品載置面を前方下り傾斜とする手段である前記商品自動前出し具を提供し、また、本発明（１１）は、該第１滑り手段及び第２滑り手段が、ローラー、前後方向に延出するリブ部材又は滑り材である前記商品自動前出し具を提供し、また、本発明（１２）は、該基板の少なくとも一方の側には、幅調整用の副基板が付設されている前記商品自動前出し具を提供し、また、本発明（１３）は、該基板の少なくとも一方の側には、幅調整用の副基板が収納自在に嵌合されている前記商品自動前出し具を提供し、また、本発明（１４）は、該基板は左右方向に２つ又は３つに縦分断されたパーツ部材で形成され、該パーツ部材を互いに適宜のピッチ離間して設置する前記商品自動前出し具を提供し、また、本発明（１５）は、既存の商品陳列棚に設置して使用される前記商品自動前出し具を提供するものである。
本発明の商品自動前出し具によれば、商品が前後方向に多量に並ぶ場合であっても、陳列商品を自動的に確実に前に送り出す作用力があり、作業者の前出し作業の労力を軽減すると共に、顧客にとっては商品が取り出し易いものである。
【図面の簡単な説明】  第１図は、本発明の実施の形態における商品自動前出し具の斜視図であり、第２図は、第１図の商品自動前出し具を構成する移動枠体と商品前出し体の斜視図であり、第３図は、移動枠体と商品前出し体の他の例を示す図であり、第４図は、本実施の形態における商品自動前出し具の他の変形例であり、第５図は、本実施の形態における商品自動前出し具の他の変形例であり、第６図は、本発明の他の実施の形態における商品自動前出し具の一部を省略した斜視図であり、第７図は、本発明の他の実施の形態における商品自動前出し具の一部を省略した斜視図であり、第８図は、本発明の他の実施の形態における商品自動前出し具の一部を省略した斜視図であり、第９図は、本発明の他の実施の形態における商品自動前出し具の一部を省略した斜視図であり、第１０図は、本発明の他の実施の形態における商品自動前出し具の一部を省略した斜視図であり、第１１図は、第１図の商品自動前出し具を構成する商品前出し体の裏面から見た一部の斜視図である。
【発明を実施するための最良の形態】  次に、本発明の実施の形態における商品自動前出し具を第１図〜第３図を参照して説明する。第１図は本実施の形態における商品自動前出し具の斜視図、第２図は第１図の商品自動前出し具を構成する移動枠体と商品前出し体の斜視図、第３図は移動枠体と商品前出し体の他の例を示す図、第４図及び第５図は本例の商品自動前出し具の他の変形例を示す図である。本明細書において、「前」は商品を取り出す側、すなわち顧客側を言い、「後」はその反対側を言う。また、左右は前側から見た方向を言う。また、自然状態とは設置状態を言う。
第１図及び第２図中、商品自動前出し具１０は、前方側商品Ａを陳列する基板１と、基板１上に載置され、第１底板７２と、第１底板７２の前方端から立設する前方部材７１と、第１底板７２の後方端から立設する後方板７３を備えるもので後方側商品Ｂを載置する移動枠体７と、移動枠体７の第１底板７２上に載置される、自然状態において常に前方移動状態にある商品前出し体２を有し、移動枠体７が設置される基板１の上面に第１滑り手段であるローラー４を前後方向に多数付設し、更に商品前出し体２の第２底板２１の裏面に第２滑り手段であるローラー２３を前後方向に多数付設し（第１１図参照）、更に第１底板７２の上面に第２滑り手段であるリブ部材７６を左右方向に所定のピッチで前後方向に延出するようにしたものである。なお、滑り手段としては、第１滑り手段及び第２滑り手段共に、ローラー及び前後方向に延出するリブ部材の他、滑り材が挙げられる。滑り材は通常の鋼板に摩擦低減効果のある被覆剤をコーティングしたもの、フッ素系樹脂などの低摩擦材、あるいはエンボス加工面など接触面積を低減したものが挙げられる。また、第１底板７２の前方端から立設する前方部材７１の高さ寸法としては、第１図及び第２図に示すようなものに限定されず、例えば高さ寸法の小さな左右に延在する所謂リブ状のような部材であってもよい。前方部材の高さが低くとも、商品の前方移動を規制することができるし、例えその前方移動の規制が弱いものであっても、前方部材７１の前方には更に陳列商品が置かれているため、前方への転落を防止することができる。
すなわち、商品自動前出し具１０の基板１は中央部が所定の幅と長さにくり抜かれた長穴１２（ガイド溝）を有し、前方端に下方に屈曲した係合片１６を有する。基板１の長穴１２の両側の上面には、ローラー４が前後方向に多数付設されている。また、基板１の左側端から立設して基板１と一体化される商品仕切り板５を有し、商品仕切り板５と基板１で形成される正面視形状がＬ字形状を呈している。
移動枠体７は第１底板７２と、第１底板７２の前後端に立設する前方部材７１と後方板７３からなり、幅寸法は基板１と略同一であり、前後方向の長さ寸法は基板１の長さ寸法に対して、約半分程度と短いものである。第１底板７２は前記長穴１２と同じ所定の幅の長穴１２ａが形成され、第１底板７２の上面には第２滑り手段であるリブ部材７６を左右方向に所定のピッチで前後方向に延出させている。移動枠体７は基板１上の第１滑り手段であるローラー４上に載せられているため、僅かな外力により基板１上を滑らかに移動できるようになっている。前方部材７１は移動枠体７内に載置される後方側商品Ｂの前方を区画すると共に、商品の前方への転落を防止する。また、前方部材７１の下端中央には基板１の長穴１２に遊嵌するガイド板２５が付設されている。後方板７３は商品前出し体２の後方ストッパーとして機能する。これにより、移動枠体７の直進性が担保される。第１滑り手段のローラー４の設置場所としては、上記形態の他、移動枠体７の第１底板７２の裏面か、又は移動枠体７の第１底板７２の裏面と基板１の上面の両方に付設してもよい。第１底板７２の裏面と基板１の上面の両方にローラー４を付設する場合、ローラーが互いに接触することなく、交互に配置することが好ましい。
商品前出し体２は、幅寸法が基板１の幅寸法と略同じの矩形状の第２底板２１と第２底板２１の前方端から立設する幅寸法が基板１の幅寸法と同じの矩形状の商品押圧板２２を備え、側面視形状が略Ｌ字形状である。また、第２底板２１の裏面にはローラー２３が前後方向に多数付設されている。なお、商品前出し体２の形態はこれに限定されず、例えば第２底板２１が商品押圧板２２の下端から前方へ延出する略Ｌ字形状であってもよい。また、基板１の長穴の先端部１２１と商品前出し体２の第２底板２１は、帯状鋼板３（接続部材）で接続され商品前出し体２が前方に引っ張られるようになっている。すなわち、商品前出し体２の第２底板２１の上面又は商品押圧板２２の裏面には、商品前出し体２が前方に移動するにつれ、帯状鋼板３を巻回して収納するぜんまい収納部（不図示）を有する。なお、接続部材が接続される箇所としては、一端が基板の前方側部材であり、他方が商品前出し体２であれば特に制限されない。また、接続部材としては、特に制限されず、帯状鋼板以外に、例えばゴムなどが挙げられる。
商品前出し体２の第２底板２１の裏面のローラー２３の付設方法としては、特に制限されず、ローラー２３の中央部において支持ケース２３１で支持する方法（第１１図）、第２底板２１の裏面をケース状にして該ケースにローラー２３を嵌め込み軸支する方法等が挙げられる。なお、符号２５１は第１底板７２に形成される長穴１２ａに嵌り、商品前出し体２の前後移動をガイドするガイド部２５１である。なお、帯状鋼板３の後端は第２底板２１の開口を通して商品押圧板２２の裏面のぜんまい収納部に接続されている（不図示）。
商品前出し体２は接続部材の前出し機能と共に、第２底板の裏面に第２滑り手段であるローラー２３を付設して、移動枠体７のリブ部材７６上に乗せられているため、自然状態において常に前方移動状態にあり、商品押圧板２２の前方で且つ移動枠体７の前方部材７１間に載置された後方側商品Ｂを前出し状態にしている。また、移動枠体７の前方部材７１はこの状態において、前方部材７１の前方に位置する前方側商品Ａを前出し状態にしている。なお、商品自動前出し具１０は既存の商品陳列棚に設置されるものであり、該商品陳列棚の前方に設置されている商品転落防止板により、最前列の商品が棚から転落することはない。このように構成される商品自動前出し具１０は、商品が前後方向に多量に並ぶ場合であっても、陳列商品を自動的に確実に前に送り出す作用力があり、顧客にとっては手前にある商品を取り出し易い。特に、移動枠体７内であって且つ商品前出し体２の前方にある後方側商品Ｂが密に載置されており、最前列にある商品が取り出される場合、所謂トロッコ状の移動枠体７内の後方側商品Ｂは移動枠体内では移動せず且つ後方側商品Ｂを含めた移動枠体全体で前方側商品Ａを押すため、陳列側商品Ａは前方へ移動し易く、帯状鋼板３の付勢力は弱くてよい。このため、作業者が商品を補充する際、移動枠体７を軽く後方へ押せばよいため、作業労力を軽減することができる。前方側商品Ａ全部が取り出されると、次いで移動枠体７内の後方側商品Ｂが取り出され、商品前出し体２が移動枠体内の商品を前出しする。この場合、商品はリブ部材７６上にあるため、更に移動し易くなっている。
なお、第１図において、商品仕切り板５の設置を省略することができ、また、この場合、別途準備された商品仕切り板を商品自動前出し具１０と組み合わせて使用してもよい。この際、商品仕切り板５は商品自動前出し具１０が載置される面、例えば既存の商品陳列棚の商品仕切り板の嵌合溝又は嵌合穴に嵌合する。なお、商品自動前出し具１０を既存の商品陳列棚に設置する方法としては、特に制限されず、単に載せる方法、接着剤または両面接着テープにより固定設置する方法、商品陳列棚の形成された嵌合溝又は嵌合穴に商品自動前出し具１０の基板に付設された嵌合突起を嵌合させる方法等が挙げられる。また、既存の商品陳列棚に商品自動前出し具１０を複数個並列して設置することもできる。
次に、第１図の商品自動前出し具１０で用いる移動枠体７及び商品前出し体２の変形例を第３図を参照して説明する。なお、第３図は図面描写の簡略化のため、基板と陳列商品の記載を省略した。第３図の商品自動前出し具において、第１図の商品自動前出し具１０と異なる点は、第２滑り手段を変えた点にある。すなわち、第３図の商品自動前出し具において、移動枠体７の第１底板７２の上面にローラー４を前後方向に多数付設し、商品前出し体２の第２底板２１の裏面のローラーを省略したものである。この移動枠体７及び商品前出し体２においても、前記と同様の効果を奏する。
次に、本実施の形態における他の商品自動前出し具を第４図及び第５図を参照して説明する。第４図及び第５図において、第１図と同一構成要素には同一符号を付してその説明を省略し異なる点について主に説明する。なお、第４図及び第５図において、前方側商品Ａ及び後方側商品Ｂは、図面の描写を簡略化するため、その記載を省略した。すなわち、第４図の商品自動前出し具１０ａにおいて、第１図の商品自動前出し具１０と異なる点は、基板１を長穴の無い全面ローラー４敷きとした点、移動枠体７の第１底板７２の上面に第２滑り手段として全面リブ状部材４ｂを付設した点、商品前出し体２が商品押圧体２２ａから後方に屈曲すると共に、商品仕切り板５ａに当接する側板２１ａを設け、側板２１ａに帯状鋼板３の巻回し収納部（不図示）を付設した構成とした点、商品仕切り板５ａは中央部が所定の幅と長さにくり抜かれた長穴１２（ガイド溝）を有し、該長穴１２の先端部に帯状部材３の一端を固定し、商品前出し板２が商品仕切り板５ａに沿って移動枠体７内を移動できるようにした点にある。商品前出し体２は接続部材３の前出し機能と共に、商品押圧体２２ａの下端が第２滑り手段であるリブ部材７と当接しているため、自然状態において常に前方移動状態にあり、商品押圧板２２ａの前方で且つ移動枠体７の前方部材７１間に載置された後方側商品Ｂを前出し状態にしている。また、移動枠体７は基板１のローラー４上に乗せられているため移動し易く、前方部材７１の前方に位置する前方側商品Ａも前出し状態にしている。なお、商品自動前出し具１０ａにおいて、移動枠体７の第１底板７２上のリブ状部材７６は省略することもでき、また滑り材とすることもできる。
第５図の商品自動前出し具１０ｂにおいて、第４図の商品自動前出し具１０ａと異なる点は、移動枠体７が商品仕切り板５ａに当接する左側板７４を付設し、左側板７４に中央部が所定の幅と長さにくり抜かれた長穴７５（ガイド溝）を付設し、更に左側板７４の前方端を右方向に屈曲させて背の高い前方部材７１とし、また左側板７４の後方端を右方向に屈曲させて前方部材７１より左右幅が小さい後方板７３ａとした点にある。すなわち、移動枠体７の形状は、上面と右側面と後方面の一部が開放状態にある箱状物である。商品自動前出し具１０ｂによれば、商品自動前出し具１０ａと同様の効果を奏する他、商品前出し体２は移動枠体７の長穴７５にガイドされ、移動枠体７は商品仕切り板５ａの長穴１２にガイドされて直進性が担保される。
次に、本実施の形態における他の商品自動前出し具を第６図〜第１０図を参照して説明する。第６図の商品自動前出し具１０ｃにおいて、第１図の商品自動前出し具１０と異なる点は、基板１の左右の両側には、幅調整用の副基板が収納自在に嵌合されている点にある。なお、第６図〜第１０図中、商品前出し体及び移動枠体は図面描写の簡略化のため、その記載を省略したが、その形状及び設置形態は第１図〜第５図のいずれのもであってもよい。すなわち、基板１は左右両側部に開口を有し、奥行き方向（基板の中央部に向かう方向）において、開口から長穴１２の手前までが幅調整用の副基板５１、１３が収納自在に嵌合するようになっている。開口は開口を形成するような移動枠体である必要はなく、第１図に示すように、基板１の裏面と陳列棚面との間に存在する隙間であってもよい。すなわち、第６図中、右側の副基板１３は基板１の右側ケース内に収納状態となっており、左側の副基板５１は基板１の左側ケースから飛びだした状態となっている。なお、右側の副基板１３を基板１の右側ケースから飛び出した状態にすることもでき、左側の副基板５１を基板１の左側ケース内に収納することもできる。また、両側の副基板５１、１３を基板１のケース内に収納することも、両側の外側へ飛びだすようにすることもできる。また、適宜の位置で固定して幅調整することもできる。なお、幅調整用の副基板５１、１３の上面には、滑り手段が付設されていても、いなくともよい。商品自動前出し具１０ｃによれば、陳列商品の幅寸法に応じた陳列が可能となる。
第７図の商品自動前出し具１０ｄにおいて、第１図の商品自動前出し具１０と異なる点は、基板１の前方に商品転落防止板６を付設した点、基板の上面の第１滑り手段をリブ状部材４ａとした点、及び基板１の右側には、幅調整用の副基板１３が収納自在に嵌合されている点にある。すなわち、基板１は右側部に開口を有し、奥行き方向（基板の中央部に向かう方向）において、開口から長穴１２の手前までが幅調整用の副基板１３が収納自在に嵌合するようになっている。すなわち、第７図中、右側の副基板１３は基板１の右側ケースから飛びだした状態となっている。また、副基板１３の上面にはリブ状の滑り手段４ａが形成されていると共に、前後両端部には別途の仕切り板の係合片が係合する係合溝５２が形成されている。なお、右側の副基板１３を基板１の右側ケース内に収納することもでき、任意の位置で固定することもできる。商品自動前出し具１０ｄによれば、陳列商品の幅寸法に応じた陳列が可能となると共に、商品の前方への移動を円滑な状態に維持できる。
第８図の商品自動前出し具１０ｅにおいて、第１図の商品自動前出し具１０と異なる点は、基板１は左右方向に３つに縦分断された形態であって、左ローラー４を有する第１パーツ部材１１１、長穴１２が形成された第２パーツ部材１１２、及び右ローラー４を有する第３パーツ部材１１３で形成され、第２パーツ部材１１２が前方の桟部材１４ａ及び後方の桟部材１４ｂの中央で固定され、第１パーツ部材１１１及び第３パーツ部材１１３が桟部材１４ａ及び後方の桟部材１４ｂに対して、左右方向に移動自在に嵌合されている。なお、３つのパーツ部材１１１〜１１３と桟部材１４ａ、１４ｂの接続形態としては、上記の形態に制限されず、第１パーツ部材１１１と桟部材１４ａ、１４ｂが第８図のような状態で固定され、第２パーツ部材１１２と第３パーツ部材１１３が桟部材１４ａ、１４ｂに移動自在に嵌合するようなものであってもよい。商品自動前出し具１０ｅによれば、陳列商品の幅寸法に応じた陳列が可能となる。
第９図の商品自動前出し具１０ｆにおいて、第７図の商品自動前出し具１０ｄと異なる点は、基板１の滑り部材がローラー４である点、及び幅調整用の副基板１３の上面の全面が、前後方向にリブが延出し且つ左右方向に多数付設されるリブ状部材４ｂとした点にある。商品自動前出し具１０ｆによれば、陳列商品の幅寸法に応じた陳列が可能となると共に、商品の前方への移動を円滑な状態に維持できる。
第１０図の商品自動前出し具１０ｇにおいて、第９図の商品自動前出し具１０ｆと異なる点は、基板１を商品仕切り板５の左側であって、基板本体部１１と連続する基板副部材１２を更に付設し、基板１と商品仕切り板５で構成される形状を、正面視で略逆Ｔ字形状とした点にある。商品自動前出し具１０ｇによれば、陳列商品の幅寸法に応じた陳列が可能となると共に、商品の前方への移動を円滑な状態に維持できる。また、更に同じ形状の商品自動前出し具１０ｇを横並びに設置すれば、幅寸法の更に大きな商品の前出しも行うことができる。
【産業上の利用可能性】  本発明は、スーパー、百貨店、コンビニなどの主に商品陳列棚の棚板面に載置されるものであって、商品が前後方向に多量に並ぶ場合であっても、陳列商品を自動的に確実に前に送り出す作用力があり、作業者の前出し作業の労力を軽減すると共に、顧客にとっては商品が取り出し易い。
【図１】
2006028246.tif 000002
【図２】
2006028246.tif 000003
【図３】
2006028246.tif 000004
【図４】
2006028246.tif 000005
【図５】
2006028246.tif 000006
【図６】
2006028246.tif 000007
【図７】
2006028246.tif 000008
【図８】
2006028246.tif 000009
【図９】
2006028246.tif 000010
【図１０】
2006028246.tif 000011
【図１１】
2006028246.tif 000012
【国際調査報告】
2006028246.tif 000013
2006028246.tif 000014
2006028246.tif 000015
2006028246.tif 000016